(57)【要約】【課題】従来の物品支持脚と比べると、物品を支持するボルトを、立ち上がり面を有する部材等により近づけて配置することができる物品支持脚、及び該物品支持脚の提供を可能にする物品支持脚用ボルト台座を提供する。【解決手段】ボルト通し孔１１を形成した頂板部１と、頂板部周縁から下方へ延びる基台スカート部２とを含み、基台スカート部外周面２１のうち少なくとも一部はボルト通し孔１１の縦方向中心線ＣＬと平行な平坦面２１１に形成されており、孔中心線ＣＬと平坦面２１１間の距離Ｌは、平坦面２１１を壁４等の垂直立ち上がり面４１に接近又は接触配置することで孔中心線ＣＬを最も該面４１に接近させることができる距離に設定されている物品支持脚用ボルト台座１０及び台座１０にボルト３を立設した物品支持脚Ａ。【選択図】    図６
2006034390.tif 000002
【特許請求の範囲】
【請求項１】
ボルト台座にボルトが立設され、該ボルトを被支持物品のボルト螺合部位に螺合させる一方、該ボルト台座を物品支持基体上に設置することで該物品を該物品支持基体上に支持する物品支持脚のためのボルト台座であって、ボルト通し孔を形成した頂板部と、該頂板部の周縁から下方へ延びる基台スカート部とを含み、該基台スカート部の外周面のうち少なくとも一部は該ボルト通し孔の縦方向中心線と平行な平坦面に形成されており、該ボルト通し孔の縦方向中心線と該平坦面間の距離は、ボルト台座を垂直立ち上がり面を有する部材の該垂直立ち上がり面に接近又は接触させて配置するとき、前記基台スカート部の前記平坦面部分以外の部分を該垂直立ち上がり面に接近又は接触配置する場合よりも該平坦面を該垂直立ち上がり面に接近又は接触配置する場合の方が、前記ボルト通し孔の縦方向中心線を該垂直立ち上がり面により接近させることができる距離に設定されていることを特徴とする物品支持脚用ボルト台座。
【請求項２】
請求項１記載の物品支持脚用ボルト台座の頂板部のボルト通し孔に前記ボルトの一部を挿通させる状態で該ボルトを立設した物品支持脚。
【請求項３】
請求項１記載の物品支持脚用ボルト台座の頂板部のボルト通し孔に前記ボルトの一部を挿通し、該ボルトを回転可能且つ抜け止め状態に該頂板部に立設した物品支持脚。
【発明の詳細な説明】
【技術分野】
【０００１】
本発明は工作機械、コンベア等の各種機械、本、書類等を収納するロッカーや棚類等の各種家具、各種ディスプレイ装置、テレビ、オーディオ装置等の各種電気電子機器などの物品を支持する物品支持脚用の台座、特に、ボルト台座にボルトが立設され、該ボルトを被支持物品のボルト螺合部位に螺合させる一方、該台座を物品支持基体（物品設置床等）上に設置することで該物品を該物品支持基体上に支持する物品支持脚のためのボルト台座に関し、さらに、かかるボルト台座にボルトを立設した物品支持脚に関する。
【背景技術】
【０００２】
ボルト台座にボルトが立設され、該ボルトを被支持物品のボルト螺合部位に螺合させる一方、該台座を物品支持基体（物品設置床等）上に設置することで該物品を該物品支持基体上に支持するタイプの物品支持脚は、特開平７−２４３４２０号公報、特開平９−８９１９１号公報等に開示されている。
【０００３】
このタイプの物品支持脚におけるボルト台座は、安定化のために、通常は平面から見ると円形状に形成されており、且つ、下部が頂部より裾広がり状に形成されていて、平面からみると周囲へ張り出した形状を呈している。
【特許文献１】特開平７−２４３４２０号公報
【特許文献２】特開平９−８９１９１号公報
【発明の開示】
【発明が解決しようとする課題】
【０００４】
しかしながら、ボルト台座中心軸線或いはそれに立設されるボルトの長手方向（ボルト中心軸線）の全周囲方向にわたって、台座下部が台座頂部より裾広がり状に形成されたボルト台座を用いた物品支持脚によると、物品を例えば室内の通常垂直に立ち上がっている壁面にできるだけ近づけて支持したい場合でも、物品を支持するボルトの中心軸線の位置は、少なくともボルト台座の半径分は壁面から後退させなければならず、そのために室内床面を効率良く使用し難くなったり、室内デザインのうえで見苦しくなったりすることがある。
【０００５】
そこで本発明は、ボルト台座にボルトが立設され、該ボルトを被支持物品のボルト螺合部位に螺合させる一方、該台座を物品支持基体上に設置することで該物品を該物品支持基体上に支持する物品支持脚のための該ボルト台座であって、従来のボルト台座と比べると、立設されるボルトを、立ち上がり面を有する部材等（例えば室内壁のような立ち上がり面を有する壁部材）により近づけて配置することができ、ひいては物品支持基体（床等）面積を効率よく利用して物品を支持することができる物品支持脚の提供を可能にする物品支持脚用ボルト台座を提供することを課題とする。
【０００６】
また、本発明は、ボルト台座にボルトが立設され、該ボルトを被支持物品のボルト螺合部位に螺合させる一方、該台座を物品支持基体上に設置することで該物品を該物品支持基体上に支持する物品支持脚であって、従来の物品支持脚と比べると、ボルトを、立ち上がり面を有する部材等（例えば室内壁のような立ち上がり面を有する壁部材）により近づけて配置することができ、それだけ物品支持基体（床等）面積を効率よく利用して物品を支持することができる物品支持脚を提供することを課題とする。
【課題を解決するための手段】
【０００７】
前記課題を解決するため本発明は次の物品支持脚用ボルト台座及び物品支持脚を提供する。
（１）物品支持脚用ボルト台座
ボルト台座にボルトが立設され、該ボルトを被支持物品のボルト螺合部位に螺合させる一方、該ボルト台座を物品支持基体（物品設置床等）上に設置することで該物品を該物品支持基体上に支持する物品支持脚のためのボルト台座であって、ボルト通し孔を形成した頂板部と、該頂板部の周縁から下方へ延びる基台スカート部とを含み、該基台スカート部の外周面のうち少なくとも一部は該ボルト通し孔の縦方向中心線と平行な平坦面に形成されており、該ボルト通し孔の縦方向中心線と該平坦面間の距離は、ボルト台座を垂直立ち上がり面を有する部材の該垂直立ち上がり面に接近又は接触させて配置するとき、前記基台スカート部の前記平坦面部分以外の部分を該垂直立ち上がり面に接近又は接触配置する場合よりも該平坦面を該垂直立ち上がり面に接近又は接触配置する場合の方が、前記ボルト通し孔の縦方向中心線を該垂直立ち上がり面により接近させることができる距離に設定されている物品支持脚用ボルト台座。
【０００８】
（２）物品支持脚
前記（１）の物品支持脚用ボルト台座の頂板部のボルト通し孔に前記ボルトの一部を挿通させる状態で該ボルトを立設した物品支持脚。
【０００９】
前記（１）の物品支持脚用ボルト台座は、その頂板部にボルト通し孔が形成されており、該ボルト通し孔にボルトの一部を挿通させる状態で該ボルトを該頂板部に立設して前記（２）の物品支持脚を形成できる。例えば、頂板部のボルト通し孔にボルトの一部を挿通し、該ボルトを回転可能且つ抜け止め状態に該頂板部に立設することで物品支持脚を形成できる。
【００１０】
前記（１）のボルト台座は、その基台スカート部の外周面のうち少なくとも一部が頂板部のボルト通し孔の縦方向中心線と平行な平坦面に形成されている。そして、該ボルト通し孔の縦方向中心線と該平坦面間の距離は、ボルト台座を垂直立ち上がり面を有する部材の該垂直立ち上がり面に接近又は接触させて配置するとき、前記基台スカート部の前記平坦面部分以外の部分を該垂直立ち上がり面に接近又は接触配置する場合よりも該平坦面を該垂直立ち上がり面に接近又は接触配置する場合の方が、前記ボルト通し孔の縦方向中心線を該垂直立ち上がり面により接近させることができる距離に設定されている。
【００１１】
従って、該ボルト通し孔を利用してボルト台座頂板部に立設されるボルトは、ボルト台座を、その基台スカート部の外周面のうちボルト通し孔の縦方向中心線と平行な平坦面が、被支持物品を近づけて配置しようとする部材等に沿う状態で配置することで、該ボルトを該部材等に近づけて配置することができ、ひいては該ボルトで支持しようとする被支持物品を該部材等に近づけて配置することができる。これらにより、物品支持基体（床等）面積を効率よく利用して物品を支持することができる。また、被支持物品の種類等にもよるが、デザイン上も良好に物品を支持、配置することが可能になる。
【００１２】
基台スカート部の前記平坦面は基台スカート部外周面のうち一部に形成されているだけでもよいが、複数箇所に形成されていてもよい。例えば、かかる平坦面が互いに直交して連続するように２面形成されていると、例えば室内コーナ部を形成する互いに直交する壁面の双方にそれら平坦面を沿わせることで、ボルト台座頂板部に立設されるボルトを両壁面に近づけて、換言すれば室内コーナ部に近づけて配置することができる。
【００１３】
このように本発明に係るボルト台座は、従来のボルト台座と比べると、立設されるボルトを、立ち上がり面を有する部材等（例えば室内壁のような立ち上がり面を有する壁部材）により近づけて配置することができ、それだけ物品支持基体（床等）面積を効率よく利用して物品を支持することができる物品支持脚の提供を可能ならしめる。                    
【００１４】
また、本発明に係る物品支持脚によると、従来の物品支持脚と比べると、ボルトを、立ち上がり面を有する部材等（例えば室内壁のような立ち上がり面を有する壁部材）により近づけて配置することができ、それだけ物品支持基体（床等）面積を効率よく利用して物品を支持することができる。
【発明の効果】
【００１５】
以上説明したように本発明によると、ボルト台座にボルトが立設され、該ボルトを被支持物品のボルト螺合部位に螺合させる一方、該台座を物品支持基体上に設置することで該物品を該物品支持基体上に支持する物品支持脚のための該ボルト台座であって、従来のボルト台座と比べると、立設されるボルトを、立ち上がり面を有する部材等（例えば室内壁のような立ち上がり面を有する壁部材）により近づけて配置することができ、ひいては物品支持基体（床等）面積を効率よく利用して物品を支持することができる物品支持脚の提供を可能にする物品支持脚用ボルト台座を提供することができる。
【００１６】
また、本発明によると、ボルト台座にボルトが立設され、該ボルトを被支持物品のボルト螺合部位に螺合させる一方、該台座を物品支持基体上に設置することで該物品を該物品支持基体上に支持する物品支持脚であって、従来の物品支持脚と比べると、ボルトを、立ち上がり面を有する部材等（例えば室内壁のような立ち上がり面を有する壁部材）により近づけて配置することができ、それだけ物品支持基体（床等）面積を効率よく利用して物品を支持することができる物品支持脚を提供することができる。
【発明を実施するための最良の形態】
【００１７】
以下、本発明の実施の形態を図面を参照して説明する。
図１から図５は本発明に係る物品支持脚ボルト台座の１例１０を示しており、それぞれボルト台座１０の正面図（図１）、背面図（図２）、平面図（図３）、右側面図（図４）、図３のＸ−Ｘ線に沿う断面図（図５）である。
また、図６は、ボルト台座１０にボルト３を立設してなる物品支持脚Ａの使用例を示す図である。
【００１８】
図示のボルト台座１０は、ボルト通し孔１１を形成したボルト立設用の頂板部１と、その周縁から下方へ延びる基台スカート部２とを含んでいる。頂板部１及び基台スカート部２は、図３に示すように平面から見ると、一部を除いてボルト通し孔１１を中心とする円形状を呈しており、基台スカート部２は該一部を除いて、安定化のために裾広がりに形成されている。該一部は平面から見ると直線形状を呈している。
【００１９】
該一部に関してさらに説明すると、基台スカート部２の外周面２１のうち一部は、ボルト通し孔１１の縦方向中心線ＣＬと平行な平坦面２１１に形成されている。
基台スカート部２の平坦面２１１を提供している部分の下端部は基台スカート部２の内側へ折り曲げられて内曲げフランジ部２３とされており、基台スカート部２の他の部分の下端部は外側へ張り出したフランジ部２４とされている。これらフランジ部２３、２４はボルト台座１０を物品設置床等の物品支持基体上に安定的に設置するためのものである。      
【００２０】
図６に例示するように、かかるボルト台座１０の頂板部ボルト通し孔１１を利用して頂板部１にボルト３を立設することで、物品支持脚Ａを形成することができる。
図６に示すボルト３は、被支持物品５に設けた雌ねじ部（ボルト螺合部位）５１に螺合させる雄ねじ部３１、該雄ねじ部の下側に連設されたレンチ係合部３２、該レンチ係合部から下方へ延びる、ボルト通し孔１１への挿通部３３及びボルト通し孔１１に挿通されて基台スカート部２内へ突出した部分に設けられる抜け止め部材３４を含んでおり、かくして頂板部１に回転可能且つ抜け止め状態に立設されている。
【００２１】
抜け止め部材３４は図示例では雌ねじ部材であり、その雌ねじを圧潰させつつボルト挿通部３３に嵌着されたものであるが、これに代えて、Ｃ形、Ｅ形等の弾性留め輪をボルト挿通部３３に嵌めてもよい。
また、ボルトの立設態様は以上説明したものに限定されるものではなく、ボルト３（例えばボルトのレンチ係合部３４）と頂板部１との間にボルト回転を円滑にするスラストベアリングを介在させる等してもよい。また、頭付きボルトを該ボルト頭を基台スカード部２内に配置し、下方からボルト通し孔１１にボルトを通し、頂板部１の上側で該ボルトにナットを螺合させてボルトに溶接固定し、これをレンチ係合部とするような態様なども採用できる。
【００２２】
図６に示す物品支持脚Ａによると、基台スカート部２の外周面２１のうち平坦面２１１を例えば室内壁４の垂直立ち上がり壁面４１に沿わせて床Ｆ上に配置することで、基台スカート部２の他のいずれの部分を壁面４１に沿わせて配置する場合よりもボルト３を最も壁面４１に接近させて配置することができる。
【００２３】
すなわち、ボルト通し孔１１の縦方向中心線ＣＬと平坦面２１１間の距離Ｌは、ボルト台座１０を垂直立ち上がり面を有する部材の該垂直立ち上がり面に接触させて配置するとき、基台スカート部２の平坦面２１１部分以外の部分を該垂直立ち上がり面に接触配置する場合よりも該平坦面２１１を該垂直立ち上がり面に接触配置する場合の方が、ボルト通し孔１１の縦方向中心線ＣＬを該垂直立ち上がり面により接近させることができる距離に設定されている。
【００２４】
図６に示す物品支持脚Ａによると、被支持物品５の雌ねじ部（ボルト螺合部位）５１にボルト３を螺合させ、このとき必要に応じレンチ係合部３２に適当なレンチ（まわし具）を係合させてボルトを回して螺合させ、且つ、ボルト台座１０からのボルト突出量を調整してボルト台座１０を物品設置床Ｆに設置することができる。かくして、被支持物品５を床Ｆ上に支持、配置することができる。
【００２５】
このとき、ボルト台座１０を、その基台スカート部２における平坦面２１１が垂直に立ち上がる壁面４１に沿うように配置することで、ボルト３を、基台スカート部２がその平坦面部分以外の部分で壁面４１に沿わされて配置される場合よりも壁面４１に近づけて配置することができ、従って物品５も壁面４１に近づけて支持することができ、ひいては床Ｆ面積を効率よく利用して物品５を支持することができる。また、物品の種類等によっては物品を室内デザイン上良好に配置することも可能になる。
【産業上の利用可能性】
【００２６】
本発明に係るボルト台座は物品支持脚の提供に用いることができ、本発明に係る物品支持脚は各種物品の支持、特に物品を壁際等に接近させて支持することに利用できる。
【図面の簡単な説明】
【００２７】
【図１】本発明に係る物品支持脚ボルト台座の１例の正面図である。
【図２】図１のボルト台座の背面図である。
【図３】図１のボルト台座の平面図である。
【図４】図１のボルト台座の右側面図である。
【図５】図３のＸ−Ｘ線に沿う断面図である。
【図６】図１から図５に示すボルト台座にボルトを立設してなる物品支持脚の使用例を示す図である。
【符号の説明】
【００２８】
Ａ  物品支持脚
１０  ボルト台座
１  頂板部
１１  ボルト通し孔
ＣＬ  ボルト通し孔１１の縦方向中心線
２  基台スカート部
２１  外周面
２１１  平坦面
Ｌ  中心線ＣＬと平坦面２１１間距離
２３  内曲げフランジ部
２４  張り出しフランジ部
３  ボルト
３１  雄ねじ部
３２  レンチ係合部
３３  ボルト通し孔への挿通部
３４  抜け止め部材
４  壁部材
４１  壁面
Ｆ  物品設置床
５  被支持物品
５１  雌ねじ部（ボルト螺合部位）
【図１】
2006034390.tif 000003
【図２】
2006034390.tif 000004
【図３】
2006034390.tif 000005
【図４】
2006034390.tif 000006
【図５】
2006034390.tif 000007
【図６】
2006034390.tif 000008
【手続補正書】
【提出日】平成16年8月4日(2004.8.4)
【手続補正１】
【補正対象書類名】明細書
【補正対象項目名】００２４
【補正方法】変更
【補正の内容】
【００２４】
図６に示す物品支持脚Ａによると、被支持物品５の雌ねじ部（ボルト螺合部位）５１にボルト３を螺合させ、このとき必要に応じレンチ係合部３２に適当なレンチ（まわし具）を係合させてボルトを回して螺合させ、且つ、ボルト台座１０から雌ねじ部５１までのボルト突出量、すなわち台座１０から雌ねじ部５１までの高さ、さらに言えば、床Ｆからの高さを調整してボルト台座１０を物品設置床Ｆに設置することができる。かくして、被支持物品５を床Ｆ上に支持、配置することができる。